【手続補正書】
【提出日】平成30年4月2日(2018.4.2)
【手続補正１】
【補正対象書類名】特許請求の範囲
【補正対象項目名】全文
【補正方法】変更
【補正の内容】
【特許請求の範囲】
【請求項１】
シート状包装材料（２）から成るパッケージ用の開封装置（３）であって、
前記シート状包装材料（２）は、少なくとも第１層（４）及び第２層（５ａ、５ｂ、６、５ｃ）を備えるとともに、前記第１層（４）を貫通して形成された孔（９）であって前記第２層（５ａ、５ｂ、６、５ｃ）のカバー部（１０）により封止された孔（９）を有し、
前記開封装置（３）は前記カバー部（１０）上に成形されたプラスチック材料から成り、前記カバー部（１０）の第１面（１０ａ）と反対側の第２面（１０ｂ）との両方から突き出るように、前記カバー部（１０）を貫通して延在し、注出口（１６）を画成する注ぎ口（１２）と前記注出口（１６）を閉鎖する壁部（１１）とを備え、
前記壁部（１１）は、前記カバー部（１０）とともに、使用者が除去可能な前記注ぎ口（１２）の封止部（１５）を画成しており、
弱化領域（１４）が、前記壁部（１１）と前記注ぎ口（１２）との間に配置されており、
前記カバー部（１０）は、前記弱化領域（１４）をカバーしており、
前記カバー部（１０）は、前記注出口（１６）の境界を定める前記注ぎ口（１２）の内壁（５７）まで延在することを特徴とする、
開封装置。
【請求項２】
前記弱化領域（１４）は、前記カバー部（１０）へ面する前記壁部（１１）の第１面（５１）と、基部（５２；５２’；５２”）と、により境界を定められており、
前記基部（５２；５２’；５２”）は、前記第１面（５１）と反対側の前記壁部（１１）の第２面（５３）に比べて、前記第１面（５１）の近くに配置されていることを特徴とする、請求項１記載の開封装置。
【請求項３】
前記カバー部（１０）の端区域（４９）は、前記基部（５２；５２’；５２”）にわたって延在することを特徴とする、請求項２に記載の開封装置。
【請求項４】
前記第２面（５３）から延在するとともに前記基部（５２；５２’）、第１壁要素（５５；５５’）、及び第２壁要素（５６；５６’）により境界を定められた凹部（５４；５４’）をさらに備えることを特徴とする、請求項２又は３に記載の開封装置。
【請求項５】
前記第１壁要素（５５）は、前記注ぎ口（１２）の内壁（５７）と略一直線上に配置されており、
前記第２壁要素（５６）は、前記基部（５２）と前記第２面（５３）との間で延在するとともに前記壁部（１１）の側領域の境界を定めており、
前記第２壁要素（５６）は、前記基部（５２）及び前記第２面（５３）に対して傾斜しており、
前記基部（５２）から前記第２面（５３）に向かうにつれて前記第１壁要素（５５）から前記第２壁要素（５６）までの距離が増加することを特徴とする、請求項４に記載の開封装置。
【請求項６】
前記第１壁要素（５５’）は、前記注ぎ口（１２）の内壁（５７）に対して略平行であり、
前記第１壁要素（５５’）は、前記内壁（５７）に比べて、前記開封装置（３）の軸（Ｂ）の近くに配置されており、前記壁部（１１）の側領域の境界を定めており、
前記第２壁要素（５６’）は、前記基部（５２’）と前記開封装置の外側フランジ（１７）の底面（５８）との間で延在するとともに前記基部（５２’）及び前記底面（５８）に対して傾斜しており、
前記基部（５２’）から前記底面（５８）に向かうにつれて前記第１壁要素（５５’）から前記第２壁要素（５６’）までの距離が増加し、
前記基部（５２’）が前記第２壁要素（５６’）と交差する点（Ｍ）は、前記内壁（５７）と略一直線上に配置されていることを特徴とする、請求項４に記載の開封装置。
【請求項７】
側部要素（７２）が、前記基部（５２”）と前記第２面（５３）との間で延在し、
前記基部（５２”）、前記第２面（５３）、及び前記側部要素（７２）は、前記第１面（５１）に対して前記カバー部（１０）と反対側でステップ要素（７３）を形成していることを特徴とする、請求項２又は３に記載の開封装置。
【請求項８】
前記基部（５２”）は、前記開封装置の外側フランジ（１７）の底面（５８）と一直線上に配置されており、
前記側部要素（７２）は、前記壁部（１１）の側領域の境界を定めており、前記注ぎ口（１２）の内壁（５７）に比べて、前記開封装置（３）の軸（Ｂ）の近くに配置されていることを特徴とする、請求項７に記載の開封装置。
【請求項９】
シート状包装材料（２）上に請求項１〜８のいずれか一項に記載の開封装置（３）を成形するための成形装置であって、
前記シート状包装材料（２）は、少なくとも第１層（４）及び第２層（５ａ、５ｂ、６、５ｃ）を備えるとともに、前記第１層（４）を貫通して形成された孔（９）であって前記第２層（５ａ、５ｂ、６、５ｃ）のカバー部（１０）により封止された孔（９）を有し、
前記開封装置（３）は、前記カバー部（１０）の第１面（１０ａ）と反対側の第２面（１０ｂ）との両方から突き出るように、前記カバー部（１０）を貫通して延在し、注出口（１６）を画成する注ぎ口（１２）、前記注出口（１６）を閉鎖する壁部（１１）、及び前記壁部（１１）と前記注ぎ口（１２）との間に配置された弱化領域（１４）を備え、
前記成形装置は、前記シート状包装材料（２）の反対側に配置された第１型配置（３０ａ）及び第２型配置（３０ｂ、３０ｃ、３０ｄ）を備え、
前記第１型配置（３０ａ）及び前記第２型配置（３０ｂ、３０ｃ、３０ｄ）は、前記シート状包装材料（２）を送ることができる開放構成と、前記第１型配置（３０ａ）及び前記第２型配置（３０ｂ、３０ｃ、３０ｄ）が、前記カバー部（１０）を収容するモールドキャビティ（３１）であってプラスチック材料が固化したときに前記開封装置（３）を画成するために前記プラスチック材料で充填されるように適合されたモールドキャビティ（３１）を画成する閉鎖構成と、を取ることができ、
前記モールドキャビティ（３１）は、前記カバー部（１０）を収容する第１チャンバー（３２）であって前記壁部（１１）を画成するように配置された第１チャンバー（３２）と、前記注ぎ口（１２）を画成するように配置された第２チャンバー（３３）であって前記第２型配置（３０ｂ、３０ｃ、３０ｄ）により境界を定められた第２チャンバー（３３）と、を備え、
前記成形装置は、前記モールドキャビティ（３１）へ延在する突出部（７０）であって、前記第１チャンバー（３２）を前記第２チャンバー（３３）に接続する小断面通路（４７）であって前記弱化領域（１４）を画成するように配置された小断面通路（４７）の境界を定める突出部（７０）をさらに備え、
前記突出部（７０）が、前記第１型配置（３０ａ）から延在することを特徴とする、成形装置。
【請求項１０】
前記突出部（７０）は、第１壁（４１；４１’）と、前記第１チャンバー（３２）を画成する前記第２型配置の型要素（３０ｃ）の底壁（４４）に対して略平行な第２壁（４３；４３’）と、第３壁（４５；４５’）と、により境界を定められたリッジ（４０、４０’）を備えることを特徴とする、請求項９に記載の成形装置。
【請求項１１】
前記第２壁（４３；４３’）は、前記第１壁（４１；４１’）に対して略垂直であることを特徴とする、請求項１０に記載の成形装置。
【請求項１２】
前記第１壁（４１）は、前記型要素（３０ｄ）の側壁（４２）と略一直線上に配置されており、
前記側壁（４２）は、前記第２チャンバー（３３）の境界を定めており、
前記第３壁（４５）は、前記第２壁（４３）から前記第１型配置（３０ａ）のベース壁（４６）まで延在し、
前記ベース壁（４６）は、前記底壁（４４）に面するとともに前記第１チャンバー（３２）の境界を定めており、
前記第３壁（４５）は、前記第２壁（４３）から前記ベース壁（４６）に向かうにつれて前記第１壁（４１）から前記第３壁（４５）までの距離が増加するように傾斜していることを特徴とする、請求項１０又は１１に記載の成形装置。
【請求項１３】
前記第１壁（４１’）は、前記型要素（３０ｄ）の側壁（４２）に対して略平行であり、
前記側壁（４２）は、前記第２チャンバー（３３）の境界を定めており、
前記第１壁（４１’）は、前記側壁（４２）に比べて、前記成形装置の軸（Ｂ）の近くに配置されており、
前記第３壁（４５’）は、前記第２壁（４３）から前記第１型配置（３０ａ）の追加ベース壁（４８）まで延在し、
前記追加ベース壁（４８）は、前記第２チャンバー（３３）に面しており、
前記第３壁（４５’）は、前記第２壁（４３’）から前記追加ベース壁（４８）に向かうにつれて前記第１壁（４１’）から前記第３壁（４５’）までの距離が増加するように傾斜しており、
前記第２壁（４３’）が前記第３壁（４５’）と交差する点（Ｐ）は、前記側壁（４２）と略一直線上に配置されていることを特徴とする、請求項１０〜１２のいずれか一項に記載の成形装置。
【請求項１４】
前記突出部（７０）は、前記第１型配置（３０ａ）の第１底壁（７５）と、前記第１型配置（３０ａ）の第２底壁（７６）と、前記第１底壁（７５）と前記第２底壁（７６）との間に配置された側壁要素（７７）と、により境界を定められたステップ配置（７４）を備え、
前記第１底壁（７５）は、前記第２底壁（７６）に比べて、前記第２型配置の型要素（３０ｃ）の底壁（４４）の近くに配置されていることを特徴とする、請求項９に記載の成形装置。
【請求項１５】
前記第２底壁（７６）は、前記第１底壁（７５）に比べて、前記成形装置の長手軸の近くに配置されており、
前記側壁要素（７７）は、前記第１底壁（７５）及び前記第２底壁（７６）に対して横方向に配置されるとともに、前記型要素（３０ｃ）の側壁（４２）に比べて、前記長手軸の近くに配置されており、
前記側壁（４２）は、前記第２チャンバー（３３）の境界を定めていることを特徴とする、請求項１４に記載の成形装置。